(57)【要約】【課題】無駄な電力の消費を回避しつつサイズの異なる原稿をプラテンガラス上に安定させることができること。【解決手段】画像処理装置１０は、複数の静電気発生部４ａ、４ｂ、４ｃと、給電制御部８５とを備える。複数の静電気発生部４ａ，４ｂ，４ｃは、電力が供給されることにより、プラテンガラス１３の外縁部からプラテンガラス１３における原稿９のサイズに応じた複数の領域にそれぞれ原稿９を吸着する静電気を発生させる。給電制御部８５は、プラテンガラス１３に載置される原稿９のサイズの情報を取得し、複数の静電気発生部４ａ，４ｂ，４ｃのうち取得した原稿９のサイズの情報に対応する一部または全部に対して選択的に電力を供給する。【選択図】図４
2017183975.tif 000002
【特許請求の範囲】
【請求項１】
プラテンガラスに載置された原稿の画像の画像処理を行う画像処理装置であって、
電力が供給されることにより、前記プラテンガラスの外縁部から前記プラテンガラスにおける前記原稿のサイズに応じた複数の領域にそれぞれ前記原稿を吸着する静電気を発生させる複数の静電気発生部と、
前記プラテンガラスに載置される前記原稿のサイズの情報を取得し、前記複数の静電気発生部のうち取得した前記原稿のサイズの情報に対応する一部または全部に対して選択的に電力を供給する給電制御部と、を備える画像処理装置。
【請求項２】
前記プラテンガラスに載置された前記原稿のサイズを検出するサイズ検出部を備え、
前記給電制御部は、前記サイズ検出部から前記原稿のサイズの情報を取得する、請求項１に記載の画像処理装置。
【請求項３】
前記プラテンガラスに載置された前記原稿の画像を読み取る画像読取部と、
前記画像読取部を制御する読取制御部と、
前記プラテンガラスを覆う閉位置と前記プラテンガラス上を開放する開位置との間で回動可能に支持されたカバー部と、
前記カバー部が前記閉位置寄りの予め定められた位置から前記閉位置までの第１範囲に存在するかそれより前記開位置側の第２範囲に存在するかを検知するカバー検知部と、を備え、
前記画像読取部は、
前記プラテンガラスの下方から光を出射し、前記プラテンガラスにおける主走査方向に沿うライン領域を照明する光源と、
前記光源を前記主走査方向に直交する副走査方向に沿って移動させる移動機構と、
前記光源により照明された前記ライン領域からの反射光の光量を前記ライン領域の画素毎に検出するイメージセンサーと、を備え、
前記読取制御部は、前記カバー部が前記第２範囲から前記第１範囲へ変位したことが前記カバー検知部によって検知されたときに、前記副走査方向における予め定められた起点で前記光源を点灯させるとともに前記イメージセンサーに光量を検出させる事前読取制御を実行し、
前記サイズ検出部は、前記事前読取制御における前記イメージセンサーによる光量の検出結果から前記原稿の前記主走査方向のサイズを検出する、請求項２に記載の画像処理装置。
【請求項４】
前記複数の前記静電気発生部は、
前記プラテンガラスにおける予め定められた第１サイズ原稿およびそれより大きな第２サイズ原稿の両方に共通の領域に前記静電気を発生させる共通領域静電気発生部と、
前記第２サイズ原稿に対応する領域に前記静電気を発生させる非共通領域静電気発生部と、を含み、
前記給電制御部は、予め定められた給電開始イベントが発生してから前記原稿のサイズの情報を取得するまで、前記共通領域静電気発生部に対してのみ電力を供給し、前記原稿のサイズの情報を取得してから予め定め定められた給電終了条件が成立するまで、取得した前記原稿のサイズの情報に応じて前記非共通領域静電気発生部に対する電力供給を制御する、請求項２または請求項３に記載の画像処理装置。
【請求項５】
前記非共通領域静電気発生部は、前記共通領域静電気発生部よりも弱い前記静電気を発生させる、請求項４に記載の画像処理装置。
【請求項６】
原稿が載置されるプラテンガラスと、
前記プラテンガラスの外縁部から前記プラテンガラスにおける複数種類の前記原稿のサイズに対応する領域に前記原稿を吸着する静電気を発生させる静電気発生部と、を備え、
前記静電気発生部は、前記プラテンガラスの領域に応じて異なる強さの前記静電気を発生させる画像処理装置。
【請求項７】
前記静電気発生部は、
前記プラテンガラスにおける予め定められた第１サイズ原稿およびそれより大きな第２サイズ原稿の両方に共通の領域に前記静電気を発生させる共通領域静電気発生部と、
前記プラテンガラスにおける前記第２サイズ原稿に対応する領域に前記静電気を発生させる非共通領域静電気発生部と、を含み、
前記非共通領域静電気発生部は、前記共通領域静電気発生部よりも弱い前記静電気を発生させる、請求項６に記載の画像処理装置。
【請求項８】
前記共通領域静電気発生部および前記非共通領域静電気発生部は、それぞれ前記静電気を発生させる複数組の電極対を含み、
前記非共通領域静電気発生部における前記複数組の電極対の間隔が、前記共通領域静電気発生部における前記複数組の電極対の間隔よりも大きい、請求項７に記載の画像処理装置。
【発明の詳細な説明】
【技術分野】
【０００１】
本発明は、画像処理装置に関する。
【背景技術】
【０００２】
一般に、原稿の画像を読み取る機能を備えたスキャナーおよび複写機などの画像処理装置は、前記原稿が載置されるプラテンガラスと、前記プラテンガラスを覆うカバー部とを備える。前記カバー部は、前記プラテンガラスを覆う閉位置と前記プラテンガラス上を開放する開位置との間で回動可能に支持される。
を備える。
【０００３】
また、前記画像処理装置が静電気発生部を備え、前記静電気発生部が、前記プラテンガラスにおける前記原稿が載置される領域に前記原稿を吸着する静電気を発生させることが知られている（例えば、特許文献１参照）。前記静電気による前記原稿の吸着作用は、前記プラテンガラス上の前記原稿の位置がずれることを防止する。
【先行技術文献】
【特許文献】
【０００４】
【特許文献１】特開平９−２９２６６２号公報
【発明の概要】
【発明が解決しようとする課題】
【０００５】
ところで、前記画像処理装置が、小サイズ原稿から大サイズ原稿までに対応可能な大きな前記プラテンガラスを備える場合がある。この場合、前記大サイズ原稿に対応する広い領域に静電気を発生させる前記静電気発生部が採用されると、前記小サイズ原稿が前記プラテンガラスに載置される場合に、前記静電気発生部が無駄に電力を消費する。
【０００６】
一方、前記小サイズ原稿に対応する狭い領域に静電気を発生させる前記静電気発生部が採用されると、前記大サイズ原稿が前記プラテンガラスに載置される場合に、前記プラテンガラスの吸着力が不足するおそれがある。この場合、前記大サイズ原稿全体を前記プラテンガラス上に安定させることができない。
【０００７】
本発明の目的は、無駄な電力の消費を回避しつつサイズの異なる原稿をプラテンガラス上に安定させることができる画像処理装置を提供することにある。
【課題を解決するための手段】
【０００８】
本発明の一の局面に係る画像処理装置は、プラテンガラスに載置された原稿の画像の画像処理を行う装置である。前記画像処理装置は、複数の静電気発生部と、給電制御部とを備える。前記複数の静電気発生部は、電力が供給されることにより、前記プラテンガラスの外縁部から前記プラテンガラスにおける前記原稿のサイズに応じた複数の領域にそれぞれ前記原稿を吸着する静電気を発生させる。前記給電制御部は、前記プラテンガラスに載置される前記原稿のサイズの情報を取得し、前記複数の静電気発生部のうち取得した前記原稿のサイズの情報に対応する一部または全部に対して選択的に電力を供給する。
【０００９】
本発明の他の局面に係る画像処理装置は、原稿が載置されるプラテンガラスと、静電気発生部とを備える。前記静電気発生部は、前記プラテンガラスの外縁部から前記プラテンガラスにおける複数種類の前記原稿のサイズに対応する領域に前記原稿を吸着する静電気を発生させる。前記静電気発生部は、前記プラテンガラスの領域に応じて異なる強さの前記静電気を発生させる。
【発明の効果】
【００１０】
本発明によれば、無駄な電力の消費を回避しつつサイズの異なる原稿をプラテンガラス上に安定させることができる画像処理装置を提供することが可能になる。
【図面の簡単な説明】
【００１１】
【図１】図１は、第１実施形態に係る画像処理装置の構成図である。
【図２】図２は、第１実施形態に係る画像処理装置が備える画像読取装置の構成図である。
【図３】図３は、第１実施形態に係る画像処理装置が備える画像読取装置におけるプラテンガラス周辺の平面図である。
【図４】図４は、第１実施形態に係る画像処理装置の制御関連機器のブロック図である。
【図５】図５は、第１実施形態に係る画像処理装置における静電気制御の手順の一例を示すフローチャートである。
【図６】図６は、第１実施形態に係る画像処理装置が備える画像読取装置において標準サイズ原稿が第１の向きで載置されたプラテンガラス周辺の平面図である。
【図７】図７は、第１実施形態に係る画像処理装置が備える画像読取装置において標準サイズ原稿が第２の向きで載置されたプラテンガラス周辺の平面図である。
【図８】図８は、第１実施形態に係る画像処理装置が備える画像読取装置において大サイズ原稿が載置されたプラテンガラス周辺の平面図である。
【図９】図９は、第２実施形態に係る画像処理装置が備える画像読取装置におけるプラテンガラス周辺の平面図である。
【図１０】図１０は、第３実施形態に係る画像処理装置が備える画像読取装置におけるプラテンガラス周辺の平面図である。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［第１実施形態］
図１に示されるように、第１実施形態に係る画像処理装置１０は、画像読取装置１、画像形成装置２、制御部８および操作表示部８０などを備える。例えば、画像処理装置１０は、複写機、ファクシミリまたは複合機などである。
【００１４】
画像読取装置１は、透明のプラテンガラス１３、画像読取部１１およびプラテンカバー１２を備える。プラテンカバー１２には、ＡＤＦ（Auto Document Feeder）１２０が組み込まれている。
【００１５】
画像処理装置１０は、プラテンガラス１３に載置された原稿９の画像の画像処理を行う装置である。原稿９は、画像の読み取り対象となるシート材である。プラテンガラス１３は、原稿９が載置される原稿台であり、画像読取部１１の本体部１００の上面を形成している。
【００１６】
前記画像処理は、原稿９の画像を読み取る画像読取処理を含み、さらに、原稿９から読み取った画像のデータを加工または転送する処理、原稿９から読み取った画像をシート９０に形成する処理なども含む。
【００１７】
図２に示されるように、プラテンカバー１２は、本体部１００に設けられたヒンジ１２１によって回動可能に支持されている。プラテンカバー１２は、プラテンガラス１３を上から覆う閉位置とプラテンガラス１３上を解放する開位置との間で回動可能である。なお、プラテンカバー１２はカバー部の一例である。
【００１８】
画像読取部１１は、プラテンガラス１３に沿って光を走査しつつ、反射光の光量に応じたライン画像データＤ０を順次出力する画像読取処理を実行する。この画像読取処理により、原稿９の画像が画像読取部１１によって読み取られる。
【００１９】
画像読取部１１は、光源１４１および第１反射ミラー１４２を含む移動ユニット１４と、移動機構１１０と、第２反射ミラー１５と、レンズ１６と、イメージセンサー１７とを備える。
【００２０】
光源１４１は、プラテンガラス１３の下方から光を出射し、プラテンガラス１３における主走査方向Ｄ１に沿うライン領域を照明する。図１において、主走査方向Ｄ１は紙面に直交する方向である。
【００２１】
移動機構１１０は、光源１４１を含む移動ユニット１４を主走査方向Ｄ１に直交する副走査方向Ｄ２に沿って移動させる。図３に示されるように、主走査方向Ｄ１は、矩形状のプラテンガラス１３の短手方向であり、副走査方向Ｄ２は、プラテンガラス１３の長手方向である。
【００２２】
光源１４１からプラテンガラス１３に向かって光が照射され、プラテンガラス１３上の原稿９からの反射光が、第１反射ミラー１４２、第２反射ミラー１５およびレンズ１６を通じてイメージセンサー１７の受光部へ導かれる。
【００２３】
イメージセンサー１７は、光源１４１により照明された前記ライン領域からの反射光の光量を前記ライン領域の画素毎に検出するセンサーである。イメージセンサー１７は、検出した前記ライン領域の画素毎の光量のデータを出力する。以下、このデータのことをライン画像データＤ０と称する。
【００２４】
図１に示されるイメージセンサー１７はＣＣＤ（Charge Coupled Device）である。なお、光源１４１、レンズ１６およびイメージセンサー１７が一体に形成された密着イメージセンサー（ＣＩＳ）が採用されることも考えられる。この場合、移動ユニット１４が前記ＣＩＳを含む。
【００２５】
画像形成装置２は、画像読取部１１から出力されるライン画像データＤ０に対応する画像を、シート供給部３から供給されるシート９０に形成する装置である。シート９０は、用紙および封筒などのシート状の画像形成媒体である。
【００２６】
図１に示される画像形成装置２は、電子写真方式によってシート９０にトナー像を形成する。なお、画像形成装置２がインクジェット方式などの他の方式でシート９０に画像を形成する装置であることも考えられる。
【００２７】
操作表示部８０は、情報入力の操作を受け付ける操作部および情報を表示する表示部を備えるユーザーインターフェイス装置である。制御部８は、画像処理装置１０が備える操作表示部８０およびその他の電気機器を制御する。
【００２８】
画像読取装置１において、プラテンカバー１２が閉じられたときにプラテンガラス１３上に気流が生じ、この気流により、プラテンガラス１３上の原稿９の位置ずれが生じる場合がある。
【００２９】
原稿９の位置ずれ防止のため、画像処理装置１０は、静電気を発生させる電極部４ａ，４ｂ，４ｃを備える。複数の電極部４ａ，４ｂ，４ｃ各々において、それぞれ静電気を発生させる複数組の電極対４ｘが並んで形成されている。図３において、電極部４ａの一部が拡大して示されている。
【００３０】
前記静電気による原稿９の吸着作用は、プラテンガラス１３上の原稿９の位置がずれることを防止する。なお、電極部４ａ，４ｂ，４ｃは、静電気発生部の一例である。
【００３１】
ところで、画像処理装置１０が、小サイズ原稿から大サイズ原稿までに対応可能な大きなプラテンガラス１３を備える場合がある。この場合、前記大サイズ原稿に対応する広い領域に静電気を発生させる前記静電気発生部が採用されると、前記小サイズ原稿がプラテンガラス１３に載置される場合に、前記静電気発生部が無駄に電力を消費する。
【００３２】
一方、前記小サイズ原稿に対応する狭い領域に静電気を発生させる前記静電気発生部が採用されると、前記大サイズ原稿がプラテンガラス１３に載置される場合に、プラテンガラス１３の吸着力が不足するおそれがある。この場合、前記大サイズ原稿全体をプラテンガラス１３上に安定させることができない。
【００３３】
画像処理装置１０は、無駄な電力の消費を回避しつつサイズの異なる原稿９をプラテンガラス１３上に安定させることができる構成を有する。以下、その構成について説明する。
【００３４】
図３，４に示されるように、画像読取装置１は、複数の電極部４ａ，４ｂ，４ｃと、給電回路４０と、給電制御部８５とを備える。複数の電極部４ａ，４ｂ，４ｃは、電力が供給されることにより、プラテンガラス１３の外縁部からプラテンガラス１３上に原稿９を吸着する静電気を発生させる。本実施形態において、画像読取装置１は、第１電極部４ａ、第２電極部４ｂおよび第３電極部４ｃの３つを備える。
【００３５】
図３において、原稿９が二点鎖線（仮想線）で示されており、複数の電極部４ａ，４ｂ，４ｃがプラテンガラス１３上において静電気を発生させる領域が一点鎖線で示されている。
【００３６】
本実施形態において、矩形状のプラテンガラス１３における１つのコーナー部である基準コーナー部１３ａが、プラテンガラス１３上上における原稿９の位置合わせの基準点である。原稿９は、その１つのコーナー部が基準コーナー部１３ａに位置する状態で、かつ、原稿９の２辺がプラテンガラス１３の２辺に沿う状態で、プラテンガラス１３上に載置される。
【００３７】
従って、プラテンガラス１３における基準コーナー部１３ａに近い領域は、原稿９のサイズにかかわらず、載置された原稿９と重なる領域である。即ち、プラテンガラス１３における基準コーナー部１３ａに近い領域は、サイズの異なる複数種類の原稿９に共通する領域である。
【００３８】
図３に示されるように、第１電極部４ａは、プラテンガラス１３における標準サイズ原稿９ａおよび大サイズ原稿９ｂに共通する第１領域Ａ１に静電気を発生させる。第２電極部４ｂおよび第３電極部４ｃは，プラテンガラス１３における大サイズ原稿９ｂに対応する第２領域Ａ２および第３領域Ａ３にそれぞれ静電気を発生させる。
【００３９】
第２領域Ａ２および第３領域Ａ３は、少なくともその過半部分が標準サイズ原稿９ａの載置領域の外側に位置する領域である。図３に示される例では、標準サイズ原稿９ａが予め定められた第１の向きでプラテンガラス１３上に載置された状態において、第２領域Ａ２および第３領域Ａ３の全体が、標準サイズ原稿９ａの載置領域の外側に位置する。
【００４０】
本実施形態において、第１電極部４ａ、第２電極部４ｂおよび第３電極部４ｃは、原稿９のサイズに応じた複数の領域Ａ１，Ａ２，Ａ３にそれぞれ静電気を発生させる。第１電極部４ａが共通領域静電気発生部の一例であり、第２電極部４ｂおよび第３電極部４ｃが非共通領域静電気発生部の一例である。
【００４１】
なお、前記第１の向きは、原稿９の長手方向がプラテンガラス１３上の長手方向、即ち、副走査方向Ｄ２に沿うときの原稿９の向きである。また、原稿９の長手方向がプラテンガラス１３上の短手方向、即ち、主走査方向Ｄ１に沿うときの原稿９の向きが第２の向きである（図７参照）。
【００４２】
また、第２領域Ａ２は、第１領域Ａ１に対し主走査方向Ｄ１の反対側の端寄りの領域である。また、第３領域Ａ３は、第１領域Ａ１に対し副走査方向Ｄ２の反対側の端寄りの領域である。
【００４３】
なお、標準サイズ原稿９ａおよび大サイズ原稿９ｂは、それぞれ予め定められた第１サイズ原稿およびそれより大きな第２サイズ原稿の一例である。例えば、標準サイズ原稿９ａがＡ４サイズの原稿であり、大サイズ原稿９ｂがＡ３サイズの原稿であることなどが考えられる。
【００４４】
給電回路４０は、制御部８からの制御指令に従って、複数の電極部４ａ，４ｂ，４ｃそれぞれに個別に電力を供給可能な回路である。給電回路４０は、例えば１０００ボルト乃至３０００ボルト程度の電圧を電極部４ａ，４ｂ，４ｃに印加するが、ごく微弱な電流しか出力しない。
【００４５】
さらに、画像処理装置１０の画像読取装置１は、カバーセンサー８０１および原稿センサー８０２を備える。
【００４６】
カバーセンサー８０１は、プラテンカバー１２が前記閉位置寄りの予め定められた位置から前記閉位置までの第１範囲Ｗ１に存在するか、それより前記開位置側の第２範囲Ｗ２に存在するかを検知するセンサーである（図２参照）。例えば、カバーセンサー８０１が、接触式のリミットスイッチ、または、非接触式の近接スイッチなどであることが考えられる。なお、カバーセンサー８０１はカバー検知部の一例である。
【００４７】
原稿センサー８０２は、副走査方向Ｄ２のサイズが標準サイズ原稿９ａの長手方向のサイズよりも大きいロングサイズの原稿９がプラテンガラス１３に載置されたことを検知するセンサーである。即ち、原稿センサー８０２は、プラテンガラス１３上における前記第１の向きの標準サイズ原稿９ａの載置領域に対し副走査方向Ｄ２の外側の位置に原稿９が存在するときに、その原稿９を検知する。
【００４８】
例えば、原稿センサー８０２が反射式のフォトセンサーなどであることが考えられる。原稿センサー８０２は、プラテンガラス１３に載置された原稿９の副走査方向Ｄ２のサイズを検出するサイズ検出部の一例である。
【００４９】
図４に示されるように、制御部８は、ＵＩ（User Interface）制御部８１、カバー判定部８２、読取制御部８３、画像処理部８４、給電制御部８５および非一時的かつコンピューター読み取り可能な記憶部８６などを備える。なお、制御部８は、画像形成装置２を制御する不図示のプリント制御部なども備える。
【００５０】
例えば、制御部８における記憶部８６以外の部分が、ＭＰＵ（Micro Processor Unit）もしくはＤＳＰ（Digital Signal Processor）などのプロセッサー、またはＡＳＩＣ（Application Specific Integrated Circuit）などの回路によって構成されることが考えられる。
【００５１】
記憶部８６は、ＵＩ制御部８１、カバー判定部８２、読取制御部８３、画像処理部８４および給電制御部８５が参照する各種のデータおよびプログラムを記憶する。前記ＭＰＵおよび前記ＤＳＰは、データ処理を行う前記プログラムおよび処理対象の前記データを一時記憶可能なＲＡＭ（Random Access Memory）を含む。
【００５２】
ＵＩ制御部８１は、操作表示部８０を制御し、カバー判定部８２は、カバーセンサー８０１の検出結果に基づいてプラテンカバー１２の状態を判定する。
【００５３】
読取制御部８３は画像読取部１１を制御し、画像処理部８４は、イメージセンサー１７から得られるライン画像データＤ０の演算処理、即ち、画像処理を実行する。
【００５４】
給電制御部８５は、給電回路４０を制御することによって複数の電極部４ａ，４ｂ，４ｃそれぞれに対する電力の供給および遮断を制御する。具体的には、給電制御部８５は、プラテンガラス１３に載置される原稿９のサイズの情報を取得し、複数の電極部４ａ，４ｂ，４ｃのうち取得した前記サイズの情報に対応する一部または全部に対して選択的に電力を供給する。給電制御部８５の処理は、後述する静電気制御において実行される。
【００５５】
［前記静電気制御］
次に、図５に示されるフローチャートを参照しつつ、前記静電気制御の手順の一例について説明する。以下の説明において、Ｓ１，Ｓ２，…は、制御部８が実行する工程の識別符号を表す。画像処理装置１０が起動したときに、前記静電気制御が開始される。
【００５６】
＜工程Ｓ１＞
前記静電気制御において、まず、給電制御部８５が、予め定められた給電開始イベントが発生したか否かを随時判定し、前記給電開始イベントが発生するまで待機する。
【００５７】
例えば、前記給電開始イベントが、操作表示部８０の開始ボタン８０ａが操作されたというイベントであることが考えられる（図３参照）。この場合、給電制御部８５は、ＵＩ制御部８１を通じて前記給電開始イベントを検知する。
【００５８】
また、画像読取装置１が、プラテンガラス１３上に原稿９が載置されたことを検知するセンサーを備える場合、そのセンサーが原稿９を検知したことが、前記給電開始イベントであることも考えられる。
【００５９】
給電制御部８５が、前記給電開始イベントが発生したと判定した場合、工程Ｓ２および工程Ｓ３の処理が実行される。
【００６０】
＜工程Ｓ２＞
工程Ｓ２において、給電制御部８５が、給電回路４０を通じて第１電極部４ａのみに電力を供給する。これにより、プラテンガラス１３の第１領域Ａ１に、原稿９を吸着する静電気が発生する。
【００６１】
＜工程Ｓ３＞
工程Ｓ３において、読取制御部８３が、移動機構１１０を制御することにより、光源１４１を含む移動ユニット１４を副走査方向Ｄ２の起点Ｐ０へ移動させる。
【００６２】
図３，６〜８は、光源１４１を含む移動ユニット１４が起点Ｐ０に位置する状態を示す。起点Ｐ０は、プラテンガラス１３における基準コーナー部１３ａ側の縁に対向する位置である。工程Ｓ２，Ｓ３の処理の後、工程Ｓ４の処理が実行される。
【００６３】
＜工程Ｓ４＞
工程Ｓ４において、カバー判定部８２が、プラテンカバー１２が前記開位置側の第２範囲Ｗ２から前記閉位置側の第１範囲Ｗ１へ変位したことがカバーセンサー８０１によって検知されるか否かを監視する。プラテンカバー１２が前記開位置側の第２範囲Ｗ２から前記閉位置側の第１範囲Ｗ１へ変位したことがカバーセンサー８０１によって検知されると、カバー判定部８２は処理を工程Ｓ５，Ｓ９へ移行させる。
【００６４】
＜工程Ｓ５＞
工程Ｓ５において、読取制御部８３が、副走査方向Ｄ２における予め定められた起点Ｐ０で光源１４１を点灯させるとともにイメージセンサー１７に原稿９からの反射光の光量を検出させる事前読取制御を実行する。前記事前読取制御により、プラテンガラス１３に載置された原稿９の先端のライン画像データＤ０が、イメージセンサー１７から画像処理部８４へ伝送される。なお、原稿９の先端は、副走査方向Ｄ２における基準コーナー部１３ａ側の端である。
【００６５】
＜工程Ｓ６＞
工程Ｓ５の処理に続いて、画像処理部８４が、前記事前読取制御におけるイメージセンサー１７による光量の検出結果を表すライン画像データＤ０から原稿９の主走査方向Ｄ１のサイズ、即ち、原稿９の幅を検出する。原稿９の主走査方向Ｄ１のサイズの情報は、画像処理部８４から給電制御部８５へ伝送される。
【００６６】
例えば、画像処理部８４は、周知のエッジ検出処理によって主走査方向Ｄ１における原稿９の端の位置を検出することにより、原稿９の主走査方向Ｄ１のサイズを検出する。
【００６７】
工程Ｓ６の処理を実行する画像処理部８４は、プラテンガラス１３に載置された原稿９の主走査方向Ｄ１のサイズを検出するサイズ検出部の一例である。工程Ｓ４〜Ｓ６の処理が行われることにより、専用のセンサーを設けることなく原稿９の幅を検出することができる。
【００６８】
＜工程Ｓ７＞
工程Ｓ６の処理に続いて、給電制御部８５が、画像処理部８４から原稿９の主走査方向Ｄ１のサイズの情報を取得し、原稿９の主走査方向Ｄ１のサイズが予め定められたワイドサイズであるか否かを判定する。
【００６９】
前記第１の向きでプラテンガラス１３に載置された標準サイズ原稿９ａの幅よりも大きなサイズが、前記ワイドサイズである。原稿９の主走査方向Ｄ１のサイズが前記ワイドサイズであると判定された場合、次に示される工程Ｓ８の処理が実行され、そうでない場合、後述する工程Ｓ１２からの処理が実行される。
【００７０】
＜工程Ｓ８＞
工程Ｓ８において、給電制御部８５が、給電回路４０を通じて第２電極部４ｂに電力を供給する。これにより、プラテンガラス１３の第１領域Ａ１および第２領域Ａ２に、原稿９を吸着する静電気が発生する。工程Ｓ８の処理の後、後述する工程Ｓ１２からの処理が実行される。
【００７１】
＜工程Ｓ９＞
一方、工程Ｓ９において、原稿センサー８０２が、前記ロングサイズの原稿９がプラテンガラス１３に載置されたか否かを検知し、給電制御部８５が、原稿センサー８０２の検知結果を取得する。
【００７２】
＜工程Ｓ１０＞
工程Ｓ９の処理に続いて、給電制御部８５は、プラテンガラス１３上の原稿９が前記ロングサイズの原稿９であるか否かを判定する。プラテンガラス１３上の原稿９が前記ロングサイズの原稿９であると判定された場合、次の工程Ｓ１１の処理が実行され、そうでない場合、後述する工程Ｓ１２からの処理が実行される。
【００７３】
＜工程Ｓ１１＞
工程Ｓ１１において、給電制御部８５が、給電回路４０を通じて第３電極部４ｃに電力を供給する。これにより、プラテンガラス１３の第１領域Ａ１および第３領域Ａ３に、原稿９を吸着する静電気が発生する。さらに、工程Ｓ８の処理が実行される場合、第１領域Ａ１、第２領域Ａ２および第３領域Ａ３に、原稿９を吸着する静電気が発生する。工程Ｓ１１の処理の後、次の工程Ｓ１２からの処理が実行される。
【００７４】
以上に示されるように、給電制御部８５は、画像処理部８４および原稿センサー８０２からプラテンガラス１３に載置される原稿９のサイズの情報を取得する（Ｓ７、Ｓ１０）。さらに、給電制御部８５は、給電回路４０を通じて、複数の電極部４ａ，４ｂ，４ｃのうち取得した原稿９のサイズの情報に対応する一部または全部に対して選択的に電力を供給する（Ｓ２，Ｓ８，Ｓ１１）。
【００７５】
また、給電制御部８５は、前記給電開始イベントが発生してから画像処理部８４または原稿センサー８０２から原稿９のサイズの情報を取得するまで、第１電極部４ａに対してのみ電力を供給する（Ｓ２，Ｓ８，Ｓ１１）。
【００７６】
そして、給電制御部８５は、原稿９のサイズの情報を取得してから前記給電終了条件が成立するまで、取得した原稿９のサイズの情報に応じて第２電極部４ｂおよび第３電極部４ｃに対する電力供給を制御する（Ｓ５〜Ｓ１２）。
【００７７】
図６に示されるように、標準サイズ原稿９ａが前記第１の向きでプラテンガラス１３に載置された後、プラテンカバー１２を閉じる操作が行われた場合、給電制御部８５は、工程Ｓ２の処理を実行するが、工程Ｓ８，Ｓ１１の処理はスキップする。従って、標準サイズ原稿９ａの吸着に関係のない第２電極部４ｂおよび第３電極部４ｃは、無駄な電力を消費しない。
【００７８】
また、図７に示されるように、標準サイズ原稿９ａが前記第１の向きでプラテンガラス１３に載置された後、プラテンカバー１２を閉じる操作が行われた場合、給電制御部８５は、工程Ｓ２，Ｓ８の処理を実行するが、工程Ｓ１１の処理はスキップする。
【００７９】
従って、前記第２の向きで載置された標準サイズ原稿９ａの吸着に関係のない第３電極部４ｃは、無駄な電力を消費しない。また、前記第２の向きで載置された標準サイズ原稿９ａが、主走査方向Ｄ１の両端部においてプラテンガラス１３に吸着されるため、標準サイズ原稿９ａの位置が安定する。
【００８０】
また、図８に示されるように、大サイズ原稿９ｂがプラテンガラス１３に載置された後、プラテンカバー１２を閉じる操作が行われた場合、給電制御部８５は、工程Ｓ２，Ｓ８，Ｓ１１の処理を実行する。従って、大サイズ原稿９ｂが、副走査方向Ｄ２の先端寄りにおける主走査方向Ｄ１の両端部および副走査方向Ｄ２の末端部においてプラテンガラス１３に吸着されるため、大サイズ原稿９ｂの位置が安定する。
【００８１】
＜工程Ｓ１２＞
工程Ｓ５〜Ｓ１１の処理の後、工程Ｓ１２において、給電制御部８５は、予め定められた給電終了条件が成立したか否かを判定する。
【００８２】
＜工程Ｓ１３＞
前記給電終了条件が成立したと判定された場合、給電制御部８５は、全ての電極部４ａ、４ｂ、４ｃにたいする電力供給を停止する。工程Ｓ１３の処理の後、工程Ｓ１からの処理が繰り返される。
【００８３】
例えば、前記給電終了条件が、プラテンカバー１２が第２範囲Ｗ２から第１範囲Ｗ１へ変位してから予め定められた時間が経過したという条件であることが考えられる。この条件は、プラテンカバー１２が前記閉位置に位置することを意味する条件である。
【００８４】
また、前記給電終了条件が、プラテンカバー１２が第２範囲Ｗ２から第１範囲Ｗ１へ変位してから予め定められた時間が経過し、かつ、画像読取部１１による前記画像読取処理が開始したことであってもよい。この場合、前記画像読取処理が開始する前に、プラテンカバー１２が再び開かれた場合でも、原稿９の位置がずれることを防止できる。
【００８５】
また、前記給電終了条件が、画像読取部１１による前記画像読取処理が終了したことであってもよい。この場合、前記画像読取処理の途中で、プラテンカバー１２が開かれた場合でも、原稿９の位置がずれることを防止できる。
【００８６】
また、原稿９に折り目が形成されているために原稿９がプラテンカバー１２の圧力によってプラテンガラス１３に十分に密着しない場合がある。この場合、電極部４ａ，４ｂ，４ｃに対する給電が、前記画像読取処理の終了まで継続されれば、原稿９がプラテンガラス１３に密着し、良好な読取画像が得られる。
【００８７】
［第２実施形態］
次に、図９に示される第２実施形態に係る画像処理装置１０Ａについて説明する。図９において、図１〜８に示される構成要素と同じ構成要素は、同じ参照符号が付されている。以下、画像処理装置１０Ａにおける画像処理装置１０と異なる点について説明する。
【００８８】
画像処理装置１０Ａは、２つの原稿センサー８０２，８０３を有する画像読取装置１Ａを備える点において、画像処理装置１０と異なる。一方の原稿センサー８０２は、画像処理装置１０の原稿センサー８０２と同じく、原稿９の副走査方向Ｄ２のサイズが前記ロングサイズであるか否かを検知するセンサーである。
【００８９】
他方の原稿センサー８０３は、プラテンガラス１３に載置された原稿９の主走査方向Ｄ１のサイズが前記ワイドサイズであるか否かを検知するセンサーである。
【００９０】
画像処理装置１０Ａにおいて、給電制御部８５は、前記給電開始条件が成立したときに、まず、給電回路４０を通じて第１電極部４ａに対して電力を供給する。その後、給電制御部８５は、前記給電終了条件が成立するまでの間、原稿センサー８０３，８０２の検知結果に応じて第２電極部４ｂおよび第３電極部４ｃに対する電力供給を制御する。
【００９１】
即ち、給電制御部８５は、前記ワイドサイズの原稿９が原稿センサー８０３によって検知されているときに第２電極部４ｂに電力を供給し、前記ロングサイズの原稿９が原稿センサー８０２によって検知されているときに第３電極部４ｃに電力を供給する。
【００９２】
画像処理装置１０が採用される場合も、画像処理装置１０が採用される場合と同様の効果が得られる。
【００９３】
［第３実施形態］
次に、図１０に示される第３実施形態に係る画像処理装置１０Ｂについて説明する。図１０において、図１〜８に示される構成要素と同じ構成要素は、同じ参照符号が付されている。以下、画像処理装置１０Ｂにおける画像処理装置１０と異なる点について説明する。
【００９４】
画像処理装置１０Ｂは、画像読取装置１の電極部４ａ，４ｂ，４ｃが他の２つの電極部４１，４２に置き換えられた画像読取装置１Ｂを備える点において異なる。
【００９５】
電極部４１，４２も、給電回路４０から電力を供給されることによってプラテンガラス１３に原稿９を吸着する静電気を発生させる静電気発生部の一例である。
【００９６】
電極部４１，４２は、プラテンガラス１３の外縁部からプラテンガラス１３における複数種類の原稿９のサイズに対応する領域に前記静電気を発生させる。電極部４１，４２各々は、それぞれ静電気を発生させる複数組の電極対４ｘを含む。図１０において、電極部４１の一部が拡大して示されている。
【００９７】
２つの電極部４１，４２の一方である長手電極部４１は、プラテンガラス１３の外縁において副走査方向Ｄ２に沿って形成されている。２つの電極部４１，４２の他方である短手電極部４２は、プラテンガラス１３の外縁において主走査方向Ｄ１に沿って形成されている。
【００９８】
画像処理装置１０Ｂにおいて、給電回路４０は、長手電極部４１および短手電極部４２の両方に対して一括して電力を供給する。長手電極部４１は、プラテンガラス１３の外縁部からプラテンガラス１３における標準サイズ原稿９ａの載置領域内からその外側に亘る領域に静電気を発生させる。短手電極部４２も、プラテンガラス１３の外縁部からプラテンガラス１３における標準サイズ原稿９ａの載置領域内からその外側に亘る領域に静電気を発生させる。
【００９９】
図１０に示される例において、長手電極部４１は、プラテンガラス１３における副走査方向Ｄ２に延びる縁に沿う第１長手縁領域Ａ１１、第２長手縁領域Ａ１２および第３長手縁領域Ａ１３のそれぞれに静電気を発生させる第１長手縁対向部４１ａ、第２長手縁対向部４１ｂおよび第３長手縁対向部４１ｃを含む。
【０１００】
副走査方向Ｄ２において、第１長手縁領域Ａ１１は第２長手縁領域Ａ１２よりも基準コーナー部１３ａに近く、第３長手縁領域Ａ１３は第２長手縁領域Ａ１２よりも基準コーナー部１３ａから離れている。
【０１０１】
第１長手縁領域Ａ１１および第２長手縁領域Ａ１２は、標準サイズ原稿９ａおよびそれより大きな大サイズ原稿９ｂの両方に共通の領域であり、第３長手縁領域Ａ１３は、大サイズ原稿９ｂに対応する領域である。
【０１０２】
なお、本実施形態において、長手電極部４１の第１長手縁対向部４１ａおよび第２長手縁対向部４１ｂが共通領域静電気発生部の一例であり、長手電極部４１の第３長手縁対向部４１ｃが非共通領域静電気発生部の一例である。
【０１０３】
また、第３長手縁対向部４１ｃにおける複数組の電極対４ｘの間隔は、第１長手縁対向部４１ａおよび第２長手縁対向部４１ｂにおける複数組の電極対４ｘの間隔よりも大きい。そのため、第３長手縁対向部４１ｃは、第１長手縁対向部４１ａおよび第２長手縁対向部４１ｂよりも弱い静電気を発生させる。
【０１０４】
本実施形態では、第２長手縁対向部４１ｂにおける複数組の電極対４ｘの間隔は、第１長手縁対向部４１ａにおける複数組の電極対４ｘの間隔よりも大きい。そのため、第２長手縁対向部４１ｂは、第１長手縁対向部４１ａよりも弱い静電気を発生させる。
【０１０５】
一方、短手電極部４２は、プラテンガラス１３における主走査方向Ｄ１に延びる縁に沿う第１短手縁領域Ａ２１および第２短手縁領域Ａ２２のそれぞれに静電気を発生させる第１短手縁対向部４２ａおよび第２短手縁対向部４２ｂを含む。
【０１０６】
第１短手縁領域Ａ２１は、標準サイズ原稿９ａおよびそれより大きな大サイズ原稿９ｂの両方に共通の領域であり、第２短手縁領域Ａ２２は、大サイズ原稿９ｂに対応する領域である。
【０１０７】
主走査方向Ｄ１において、第１短手縁領域Ａ２１は第２短手縁領域Ａ２２よりも基準コーナー部１３ａに近い。
【０１０８】
なお、本実施形態において、短手電極部４２の第１短手縁対向部４２ａが共通領域静電気発生部の一例であり、短手電極部４２の第２短手縁対向部４２ｂが非共通領域静電気発生部の一例である。
【０１０９】
また、第２短手縁対向部４２ｂにおける複数組の電極対４ｘの間隔は、第１短手縁対向部４２ａにおける複数組の電極対４ｘの間隔よりも大きい。そのため、第２短手縁対向部４２ｂは、第１短手縁対向部４２ａよりも弱い静電気を発生させる。
【０１１０】
以上に示されるように、長手電極部４１および短手電極部４２は、プラテンガラス１３の領域に応じて異なる強さの静電気を発生させる。画像処理装置１０は、プラテンガラス１３における原稿９の安定化に重要な領域に相対的に強い静電気を発生させ、その他の領域に相対的に弱い静電気を発生させることができる。これにより、静電気発生のための無駄な電力消費が極力抑制される。
【０１１１】
また、原稿９は、そのサイズにかかわらず領域Ａ１１，Ａ１２，Ａ２１において比較的強い静電気によってプラテンガラス１３に確実に吸着される。そして、大サイズ原稿９ｂは、他の領域Ａ１３，Ａ２２においても補助的にプラテンガラス１３に吸着され、大サイズ原稿９ｂの位置ずれも生じにくい。
【０１１２】
[応用例]
画像処理装置１０の画像読取装置１において、第２電極部４ｂおよび第３電極部４ｃが、第１電極部４ａよりも弱い前記静電気を発生させることが考えられる。
【０１１３】
例えば、第２電極部４ｂおよび第３電極部４ｃにおける複数組の電極対４ｘの間隔が、第１電極部４ａにおける複数組の電極対４ｘの間隔よりも大きいことが考えられる。この場合、給電回路４０は、全ての電極部４ａ，４ｂ，４ｃに対して同じ電圧を印加する。
【０１１４】
また、画像読取装置１において、給電回路４０が、第２電極部４ｂおよび第３電極部４ｃに対し、第１電極部４ａに印加する電圧よりも低い電圧を印加することも考えられる。
【０１１５】
また、画像処理装置１０，１０Ａにおいて、原稿９のサイズの情報が、操作表示部８０に対する操作によって入力されることも考えられる。この場合、給電制御部８５が、操作表示部８０に対する操作によって入力された原稿９のサイズの情報を、ＵＩ制御部８１を通じて取得することが考えられる。
【０１１６】
なお、本発明に係る画像処理装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１１７】
１，１Ａ，１Ｂ：画像読取装置
２      ：画像形成装置
３      ：シート供給部
４ａ    ：第１電極部（共通領域静電気発生部）
４ｂ    ：第２電極部（非共通領域静電気発生部）
４ｃ    ：第３電極部（非共通領域静電気発生部）
４ｘ    ：電極対
８      ：制御部
９      ：原稿
９ａ    ：標準サイズ原稿（第１サイズ原稿）
９ｂ    ：大サイズ原稿（第２サイズ原稿）
１０，１０Ａ，１０Ｂ：画像処理装置
１１    ：画像読取部
１２    ：プラテンカバー
１３    ：プラテンガラス
１３ａ  ：基準コーナー部
１４    ：移動ユニット
１５    ：第２反射ミラー
１６    ：レンズ
１７    ：イメージセンサー
４０    ：給電回路
４１    ：長手電極部
４１ａ  ：第１長手縁対向部（共通領域静電気発生部）
４１ｂ  ：第２長手縁対向部（共通領域静電気発生部）
４１ｃ  ：第３長手縁対向部（非共通領域静電気発生部）
４２    ：短手電極部
４２ａ  ：第１短手縁対向部（共通領域静電気発生部）
４２ｂ  ：第２短手縁対向部（非共通領域静電気発生部）
８０    ：操作表示部
８０ａ  ：開始ボタン
８１    ：ＵＩ制御部
８２    ：カバー判定部
８３    ：読取制御部
８４    ：画像処理部（サイズ検出部）
８５    ：給電制御部
８６    ：記憶部
９０    ：シート
１００  ：本体部
１１０  ：移動機構
１２１  ：ヒンジ
１４１  ：光源
１４２  ：第１反射ミラー
８０１  ：カバーセンサー
８０２，８０３：原稿センサー（サイズ検出部）
Ａ１    ：第１領域
Ａ２    ：第２領域
Ａ３    ：第３領域
Ａ１１  ：第１長手縁領域
Ａ１２  ：第２長手縁領域
Ａ１３  ：第３長手縁領域
Ａ２１  ：第１短手縁領域
Ａ２２  ：第２短手縁領域
Ｄ０    ：ライン画像データ
Ｄ１    ：主走査方向
Ｄ２    ：副走査方向
Ｐ０    ：起点
Ｗ１    ：第１範囲
Ｗ２    ：第２範囲
【図１】
2017183975.tif 000003
【図２】
2017183975.tif 000004
【図３】
2017183975.tif 000005
【図４】
2017183975.tif 000006
【図５】
2017183975.tif 000007
【図６】
2017183975.tif 000008
【図７】
2017183975.tif 000009
【図８】
2017183975.tif 000010
【図９】
2017183975.tif 000011
【図１０】
2017183975.tif 000012